(57)【特許請求の範囲】
【請求項１】
ユニット建物を構成する建物ユニットのうち、屋外と連通する内部空間に面した室外壁を有する屋外連通建物ユニットを備えたユニット建物の構築方法であって、
前記屋外連通建物ユニットは、前記ユニット建物の最上階を構成するためのインナーバルコニー構成用建物ユニットであり、
前記屋外連通建物ユニットである前記インナーバルコニー構成用建物ユニットの前記室外壁のうち、前記ユニット建物を構築した際に該ユニット建物の中央寄りとなる方の室外壁側に、前記内部空間側へ突出するように、蓄電池を工場で予め取り付けておくことを特徴とするユニット建物の構築方法。
【請求項２】
前記屋外連通建物ユニットの前記室外壁の内部に、前記蓄電池の配線を工場で予め配設しておくことを特徴とする請求項１に記載のユニット建物の構築方法。
【請求項３】
前記配線の端部に、コネクタを工場で予め設けておくことを特徴とする請求項２に記載のユニット建物の構築方法。
【発明の詳細な説明】
【技術分野】
【０００１】
本発明は、蓄電池を備えたユニット建物の構築方法に関するものである。
【背景技術】
【０００２】
近年、国家・自治体レベルや企業レベルにとどまらず、家庭レベルにおいても省エネルギーの意識が高まりつつある。
【０００３】
また、地震などによる被災後の非常時に、なるべく快適な生活を送れるようにしようとする非常時に対応するための意識も高まりつつある。
【０００４】
こうしたことから、省エネルギー用又は非常時用の蓄電池を建物に備えることがなされるようになってきた。
【０００５】
ここで、建物内における蓄電池の設置場所が重要となる。
【０００６】
例えば、特許文献１に開示された従来技術では、蓄電池を、建物におけるインナーガレージをはじめとした様々な箇所に分散して設置している。
【０００７】
また、特許文献２に開示された従来技術では、蓄電池を、建物におけるベランダの天井あるいは屋根の軒下に設置している。
【先行技術文献】
【特許文献】
【０００８】
【特許文献１】特開２０１１−１７２０３号公報
【特許文献２】特開２０００−５８０２１号公報
【発明の概要】
【発明が解決しようとする課題】
【０００９】
確かに、特許文献１，２に開示された従来技術では、雨風が凌げるうえに、直射日光を避けることができるため、蓄電池のおかれる設置箇所としては優れているといえる。
【００１０】
しかしながら、蓄電池の取り付けを現地で行うため、その分工数がかかり、建物構築の工期が長くなってしまう。
【００１１】
特に、工期が短くて済むという特長を有するユニット建物にとっては、工期が長くなってしまうというのは無視できない問題である。
【００１２】
そこで、本発明は、蓄電池を設置するために生ずる工期の長期化がないユニット建物の構築方法を提供することを目的としている。
【課題を解決するための手段】
【００１３】
前記目的を達成するために、本発明のユニット建物の構築方法は、ユニット建物を構成する建物ユニットのうち、屋外と連通する内部空間に面した室外壁を有する屋外連通建物ユニットを備えたユニット建物の構築方法であって、前記屋外連通建物ユニットの前記室外壁に蓄電池を工場で予め取り付けておくことを特徴とする。
【００１４】
ここで、前記屋外連通建物ユニットは、インナーガレージ構成用建物ユニットであってもよい。
【００１５】
また、前記インナーガレージ構成用建物ユニットは、少なくとも１箇所の床梁の一部乃至全体が省略されたものであるとよい。
【００１６】
また、前記屋外連通建物ユニットは、インナーバルコニー構成用建物ユニットであってもよい。
【００１７】
さらに、前記屋外連通建物ユニットの前記室外壁の内部に、前記蓄電池の配線を工場で予め配設しておくとよい。
【００１８】
また、前記配線の端部に、コネクタを工場で予め設けておくとよい。
【発明の効果】
【００１９】
このような本発明のユニット建物の構築方法は、ユニット建物を構成する建物ユニットのうち、屋外と連通する内部空間に面した室外壁を有する屋外連通建物ユニットを備えたユニット建物の構築方法である。
【００２０】
そして、屋外連通建物ユニットの室外壁に蓄電池を工場で予め取り付けておく構成とされている。
【００２１】
こうした構成なので、蓄電池の取り付けを工場で予め行うため、蓄電池を設置するために生ずる工期の長期化がない。
【００２２】
また、屋外連通建物ユニットは、蓄電池を室外壁に取り付けるため、蓄電池は屋外連通建物ユニットの内部に収まり、輸送制限にひっかからずに、トラックなどの通常の輸送手段で輸送することができる。
【００２３】
ここで、屋外連通建物ユニットが、インナーガレージ構成用建物ユニットである場合は、インナーガレージは、蓄電池の設置箇所としては、雨風が凌げるうえに、直射日光を避けることができ、温熱による性能低下や耐久性劣化を抑制することができるので、優れた設置箇所である。
【００２４】
また、インナーガレージ構成用建物ユニットが、少なくとも１箇所の床梁の一部乃至全体が省略されたものである場合は、この省略された部分に車両の出入口を設けることで、車両の出入が容易なインナーガレージとすることができる。
【００２５】
また、屋外連通建物ユニットが、インナーバルコニー構成用建物ユニットである場合は、インナーバルコニーは、蓄電池の設置箇所としては、雨風が凌げるうえに、直射日光を避けることができ、温熱による性能低下や耐久性劣化を抑制することができるので、優れた設置箇所である。
【００２６】
さらに、屋外連通建物ユニットの室外壁の内部に、蓄電池の配線を工場で予め配設しておく場合は、配線の配設作業の工数を減らすことができ、その分、工期を短縮することができる。
【００２７】
また、配線の端部に、コネクタを工場で予め設けておく場合は、配線作業はコネクタ同士を接続するだけでよいので、その分、工期を短縮することができる。
【図面の簡単な説明】
【００２８】
【図１】実施例１のユニット建物の構築方法により構築したユニット建物の概略構成を示す斜視図である。
【図２】実施例１のインナーガレージ構成用建物ユニットの概略構成を示す斜視図である。
【図３】実施例１のインナーガレージ構成用建物ユニットの室外壁の部分の概略構成を示す正面図である。
【図４】実施例１の屋根ユニットの概略構成を示す斜視図である。
【図５】実施例２のユニット建物の構築方法により構築したユニット建物の概略構成を示す斜視図である。
【図６】実施例２のインナーバルコニー構成用建物ユニットの概略構成を示す斜視図である。
【図７】実施例２のインナーバルコニー構成用建物ユニットの室外壁の部分の概略構成を示す正面図である。
【発明を実施するための形態】
【００２９】
以下、本発明を実施するための形態を、図面に示す実施例１，２に基づいて説明する。
【実施例１】
【００３０】
先ず、実施例１の構成について説明する。
【００３１】
図１は、実施例１のユニット建物の構築方法により構築したユニット建物１Ａの概略構成を示している。
【００３２】
まず、このユニット建物１Ａは、地盤に打設された基礎４上に、３つの１階用の建物ユニット１１，１１，１１と、１階用の屋外連通建物ユニットとしてのインナーガレージ構成用建物ユニット１２と、４つの２階用の建物ユニット２１，２１，２１，２１と、屋根を構成する４つの屋根ユニット３１，３１，３２，３２とを組み付けて構築されている。
【００３３】
ここで、内部空間としてのインナーガレージ１０を構成するインナーガレージ構成用建物ユニット１２は、図２に示したように、その中間部に室外壁１２ａを有する。
【００３４】
そして、この室外壁１２ａには、裏当材（図示せず）によって補強された部分に、取付治具（図示せず）によって、蓄電池５を工場で予め取り付けておく。
【００３５】
また、室外壁１２ａの内部には、図３に示したように、蓄電池５の配線７を工場で予め配設しておく。
【００３６】
さらに、配線７の端部には、他の配線と接続するためのコネクタ７ａを工場で予め設けておく。
【００３７】
また、インナーガレージ構成用建物ユニット１２は、図２に示したように、インナーガレージ１０の出入口となる部分の床梁が省略されている。
【００３８】
さらに、日当りの良い側の屋根ユニット３１，３１には、図４に示したように、太陽光発電装置としての太陽光発電パネル６がそれぞれ設けられている。
【００３９】
そして、屋根ユニット３１，３１に設けられた太陽光発電パネル６，６と、蓄電池５とは、パワーコンディショナー（図示せず）を介して、配線（図示せず）で接続されており、太陽光発電パネル６，６で発電された電力が蓄電池５で蓄電可能とされている。
【００４０】
ここで、パワーコンディショナー（図示せず）は、外部系統電力とも接続されている。
【００４１】
これにより、蓄電池５は、日中は太陽光発電パネル６，６で発電した電力を利用して蓄電を行えるし、夜間には、比較的安価な深夜電力を利用して蓄電を行える。
【００４２】
なお、インナーガレージ１０の出入口の手前には、排水用の側溝（図示せず）が設けられており、インナーガレージ１０内への雨水の浸入を防止している。
【００４３】
次に、実施例１の作用効果について説明する。
【００４４】
このような実施例１のユニット建物の構築方法は、ユニット建物１Ａを構成する建物ユニット１１，１１，１１，１２，２１，２１，２１，２１のうち、屋外と連通する内部空間としてのインナーガレージ１０に面した室外壁１２ａを有する屋外連通建物ユニットとしてのインナーガレージ構成用建物ユニット１２を備えたユニット建物の構築方法である。
【００４５】
そして、インナーガレージ構成用建物ユニット１２の室外壁１２ａに蓄電池５を工場で予め取り付けておく構成とされている。
【００４６】
こうした構成なので、蓄電池５の取り付けを工場で予め行うため、蓄電池５を設置するために生ずる工期の長期化がない。
【００４７】
また、インナーガレージ構成用建物ユニット１２は、蓄電池５を室外壁１２ａに取り付けるため、蓄電池５はインナーガレージ構成用建物ユニット１２の内部に収まり、輸送制限にひっかからずに、トラックなどの通常の輸送手段で輸送することができる。
【００４８】
さらに、インナーガレージ構成用建物ユニット１２で構成されるインナーガレージ１０は、蓄電池５の設置箇所としては、雨風が凌げるうえに、直射日光を避けることができ、温熱による性能低下や耐久性劣化を抑制することができるので、優れた設置箇所である。
【００４９】
また、インナーガレージ構成用建物ユニット１２には、インナーガレージ１０の出入口となる部分の床梁が省略されたものが用いられている。
【００５０】
このため、車両の出入が容易なインナーガレージ１０とすることができる。
【００５１】
さらに、インナーガレージ構成用建物ユニット１２の室外壁１２ａの内部に、蓄電池５の配線７を工場で予め配設しておく。
【００５２】
このため、配線７の配設作業の工数を減らすことができ、その分、工期を短縮することができる。
【００５３】
また、配線７の端部に、コネクタ７ａを工場で予め設けておく。
【００５４】
このため、配線作業はコネクタ７ａと他の配線のコネクタとを接続するだけでよいので、その分、工期を短縮することができる。
【実施例２】
【００５５】
次に、実施例２について説明する。
【００５６】
なお、実施例１で説明した内容と同一乃至均等な部分の説明については同一符号を付して説明する。
【００５７】
先ず、実施例２の構成について説明する。
【００５８】
図５は、実施例２のユニット建物の構築方法により構築したユニット建物１Ｂの概略構成を示している。
【００５９】
まず、このユニット建物１Ｂは、地盤に打設された基礎４上に、４つの１階用の建物ユニット１１，１１，１１，１１と、３つの２階用の建物ユニット２１，２１，２１と、２階用の屋外連通建物ユニットとしてのインナーバルコニー構成用建物ユニット２２と、屋根を構成する４つの屋根ユニット３１，３１，３２，３２とを組み付けて構築されている。
【００６０】
ここで、内部空間としてのインナーバルコニー２０を構成するインナーバルコニー構成用建物ユニット２２は、図６に示したように、その室外壁２２ａには、裏当材（図示せず）によって補強された部分に、取付治具（図示せず）によって、床面２２ｂにも支持されるように、蓄電池５を工場で予め取り付けておく。
【００６１】
また、室外壁２２ａの内部には、図７に示したように、蓄電池５の配線７を工場で予め配設しておく。
【００６２】
さらに、配線７の端部には、他の配線と接続するためのコネクタ７ａを工場で予め設けておく。
【００６３】
また、インナーバルコニー構成用建物ユニット２２は、図６に示したように、手摺２２ｃを備えている。
【００６４】
さらに、日当りの良い側の屋根ユニット３１，３１には、図４に示したように、太陽光発電装置としての太陽光発電パネル６がそれぞれ設けられている。
【００６５】
そして、屋根ユニット３１，３１に設けられた太陽光発電パネル６，６と、蓄電池５とは、パワーコンディショナー（図示せず）を介して、配線（図示せず）で接続されており、太陽光発電パネル６，６で発電された電力が蓄電池５で蓄電可能とされている。
【００６６】
ここで、パワーコンディショナー（図示せず）は、外部系統電力とも接続されている。
【００６７】
これにより、蓄電池５は、日中は太陽光発電パネル６，６で発電した電力を利用して蓄電を行えるし、夜間には、比較的安価な深夜電力を利用して蓄電を行える。
【００６８】
次に、実施例２の作用効果について説明する。
【００６９】
このような実施例２のユニット建物の構築方法は、ユニット建物１Ｂを構成する建物ユニット１１，１１，１１，１１，２１，２１，２１，２２のうち、屋外と連通する内部空間としてのインナーバルコニー２０に面した室外壁２２ａを有する屋外連通建物ユニットとしてのインナーバルコニー構成用建物ユニット２２を備えたユニット建物の構築方法である。
【００７０】
そして、インナーバルコニー構成用建物ユニット２２の室外壁２２ａに蓄電池５を工場で予め取り付けておく構成とされている。
【００７１】
こうした構成なので、蓄電池５の取り付けを工場で予め行うため、蓄電池５を設置するために生ずる工期の長期化がない。
【００７２】
また、インナーバルコニー構成用建物ユニット２２は、蓄電池５を室外壁２２ａに取り付けるため、蓄電池５はインナーバルコニー構成用建物ユニット２２の内部に収まり、輸送制限にひっかからずに、トラックなどの通常の輸送手段で輸送することができる。
【００７３】
さらに、インナーバルコニー構成用建物ユニット２２で構成されるインナーバルコニー２０は、蓄電池５の設置箇所としては、雨風が凌げるうえに、直射日光を避けることができ、温熱による性能低下や耐久性劣化を抑制することができるので、優れた設置箇所である。
【００７４】
また、インナーバルコニー構成用建物ユニット２２は、手摺２２ｃを備えている。
【００７５】
このため、この手摺２２ｃにより、さらに雨風が凌げるうえに、直射日光を避けることができる。
【００７６】
さらに、インナーバルコニー構成用建物ユニット２２の室外壁２２ａの内部に、蓄電池５の配線７を工場で予め配設しておく。
【００７７】
このため、配線７の配設作業の工数を減らすことができ、その分、工期を短縮することができる。
【００７８】
また、配線７の端部に、コネクタ７ａを工場で予め設けておく。
【００７９】
このため、配線作業はコネクタ７ａと他の配線のコネクタとを接続するだけでよいので、その分、工期を短縮することができる。
【００８０】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【００８１】
例えば、上記した実施例１，２では、蓄電池５を一箇所のみに設置したが、これに限定されず、複数の箇所に設置して実施してもよい。
【００８２】
また、上記した実施例１，２では、太陽光発電装置として、太陽光発電パネル６，６を用いて実施したが、これに限定されず、他の種類の太陽光発電装置を用いて実施してもよいし、太陽光発電装置自体を用いずに実施してもよい。
【００８３】
さらに、上記した実施例１，２では、屋根を構成する屋根ユニット３１，３２を用いて実施したが、これに限定されず、建築現場で屋根を組んで実施してもよい。
【００８４】
また、上記した実施例１，２では、インナーガレージ１０の出入口やインナーバルコニーの開口部に何も設けずに実施したが、これに限定されず、シャッターや雨戸などを設けて実施してもよい。
【００８５】
さらに、上記した実施例１，２では、室外壁１２ａや室外壁２２ａに蓄電池５のみを工場で予め取り付けて実施したが、これに限定されず、パワーコンディショナーやその他のものも工場で予め取り付けて実施してもよい。
【００８６】
また、上記した実施例１では、インナーガレージ１０内に１台の車両のみ駐車できればよいように、床梁の一部のみ省略して実施したが、これに限定されず、インナーガレージ１０内に複数台駐車できるように、床梁の全体を省略して実施してもよい。
【００８７】
さらに、上記した実施例２では、インナーバルコニー構成用建物ユニット２２全体でインナーバルコニー２０を構成したが、これに限定されず、中間部に室外壁を設けることで、より小さなインナーバルコニー２０を構成して実施してもよい。
【符号の説明】
【００８８】
１Ａ    ユニット建物
１Ｂ    ユニット建物
１１    １階用の建物ユニット
１２    インナーガレージ構成用建物ユニット（屋外連通建物ユニット）
１２ａ  室外壁
１０    インナーガレージ（内部空間）
２１    ２階用の建物ユニット
２２    インナーバルコニー構成用建物ユニット（屋外連通建物ユニット）
２２ａ  室外壁
２２ｂ  床面
２２ｃ  手摺
２０    インナーバルコニー（内部空間）
３１    屋根ユニット
３２    屋根ユニット
４      基礎
５      蓄電池
６      太陽光発電パネル（太陽光発電装置）
７      配線
７ａ    コネクタ
【図１】
0005886598.tif 000002
【図２】
0005886598.tif 000003
【図３】
0005886598.tif 000004
【図４】
0005886598.tif 000005
【図５】
0005886598.tif 000006
【図６】
0005886598.tif 000007
【図７】
0005886598.tif 000008